(57)【特許請求の範囲】
【請求項１】
一対のファスナーテープ(2)の対向するエレメント取付縁部(5)に沿って、磁性を有する複数の合成樹脂製の磁性エレメント(3,22,22',32,32',52,62)を所定の間隔をおいて列設し、対向する左右の前記磁性エレメント(3,23,32,52,62)が磁力を利用して係着するファスナー(1,21,31,51,61)であって、
対向する左右の前記磁性エレメント(3,22,22',32,32',52,62)が互い違いに係着してなり、
前記各磁性エレメント(3,22,22',32,32',52,62)は、
左右の前記磁性エレメント(3,22,22',32,32',52,62)を係着させたときに、前記ファスナーテープ(2)の長手方向の同一側における磁極が同極となるように磁性を有する頭部(7,27,37,57,67)と、
前記エレメント取付縁部(5)に取り付ける脚部(8,28,38,58,68)と、
一方及び他方の前記磁性エレメント(3,22,22',32,32',52,62)の頭部(7,27,37,57,67)に形成され、互いに係脱する係脱部(9,10,33,34,56a,56b,63,64)と、
を備えてなることを特徴とするファスナー。
【請求項２】
前記係脱部(9,10,33,34,63,64)が、
一方及び／又は他方の前記磁性エレメントの頭部に形成された係脱凸部(9,33,63)と、
他方及び／又は一方の前記磁性エレメントの頭部に形成され、前記係脱凸部(9,33,63)を嵌着可能な係脱凹部(10,34,64)と、
により構成されてなる請求項１記載のファスナー。
【請求項３】
前記各磁性エレメント(3,22,22',62)の前記頭部(7,27,67)は、前記ファスナーテープ(2)の長手方向の前後に、係着相手の前記磁性エレメント(3,22,22',62)の頭部(7,27,67)と対面する第１対向面(7a,27a,67a)と第２対向面(7b,27b,67b)とを有し、
前記係脱凸部(9,63)が前記第１対向面(7a,27a,67a,)に配され、前記係脱凹部(10,64)が前記第２対向面(7b,27b,67b)に配されており、
左右の前記磁性エレメント(3,22,22',62)を係着させたときに、前記係脱凸部(9,63)が前記係脱凹部(10,64)に係合されてなる、
請求項２記載のファスナー。
【請求項４】
前記各磁性エレメント(3,22,22',32,32',52,62)の頭部(7,27,37,57,67)は、合成樹脂を射出成形するときに磁石(6)を埋設することにより形成されてなる請求項１〜３のいずれかに記載のファスナー。
【請求項５】
前記係脱凸部(63)は、前記第１対向面(67a)から前記磁石(6)の一部を突出させて形成され、
前記係脱凹部(64)は、前記第２対向面(67b)と前記磁石(6)の後端面との段差により形成されてなる、
請求項４記載のファスナー。
【請求項６】
前記各磁性エレメント(3,22,22',32,32',52,62)の頭部(7,27,37,57,67)は、磁性材料を含む合成樹脂を射出成形した後、着磁することにより形成されてなる請求項１〜３のいずれかに記載のファスナー。
【請求項７】
前記各磁性エレメント(22,22')は、
前記頭部(27)の幅方向の先端面(26)に、凹溝部(24)又は凸条部(25)を有し、
係着相手の前記磁性エレメント(22,22')の先端面(26)に対面する前記脚部(28)の側面(29)に、凸条部(25)又は凹溝部(24)を有してなり、
前記凸条部(25)は、左右の前記磁性エレメント(22)を係着させたときに、前記凹溝部(24)に嵌着されてなる、
請求項１〜６のいずれかに記載のファスナー。
【請求項８】
上翼板(42)と、下翼板(43)と、上翼板(42)及び下翼板(43)の左右側端縁に沿って直交方向に配された上下フランジ(44,45)とを有し、前記磁性エレメント(32)の左右のエレメント列に挿通して、前記磁性エレメント(32)を係着離脱するスライダー(41)を備えており、
前記各磁性エレメント(32)は、
前記頭部(37)が、前記スライダー(41)の案内通路内に導入可能なように、前記脚部(38)よりも高さ方向に厚肉に形成されてなり、且つ、
前記脚部(38)の表裏両面に高さ方向に突出する突出部(39)を有し、同突出部(39)が前記上下フランジ(44,45)の外面に摺接して前記スライダー(41)を案内してなる、
請求項１〜７のいずれかに記載のファスナー。
【発明の詳細な説明】
【技術分野】
【０００１】
本発明は、衣服の前立てなどの開閉に使用されるファスナーに関するものであり、特に、一対のファスナーテープの対向するエレメント取付縁部に、磁石などにより磁性を備えた磁性エレメントを取り付けて、その磁性エレメントの磁力を利用することによって対向する左右の磁性エレメントを係着するファスナーに関する。
【背景技術】
【０００２】
磁石の磁力を利用して衣服の前立てなどの開閉を行うファスナーが、米国特許第４３９９５９５号明細書（特許文献１）に開示されている。この特許文献１に開示されているファスナーは、衣服の前立て部分の対向する各側縁部に、それぞれ所定の間隔でＮ極とＳ極が入れ替わるようにして磁石を設けておき、一方の側縁部の表面に他方の側縁部の裏面を重ねて、それぞれの側縁部に設けた磁石のＮ極とＳ極とを互いに磁力で吸着することにより、左右の側縁部を密着させるように構成されている。また、左右の側縁部の密着を解除する際には、一方の側縁部に設けた磁石の位置を開放手段で長手方向にずらし、それぞれの側縁部に設けた磁石の同極同士を対面させて反発させる。これにより、密着している左右の側縁部を容易に開離させることが可能となる。
【０００３】
更に、前記特許文献１のファスナーは、一方の側縁部に表裏方向に突出した突出タブが形成されており、他方の側縁部には、前記突出タブを嵌入する凹部が形成されている。これにより、左右の側縁部を重ねて係着させたときに、前記突出タブが前記凹部に嵌入するため、例えば左右側縁部が係着しているときに左右から引っ張るような横引き力を受けても、その横引き力によって左右の側縁部が開離することを防ぐことができる。
【０００４】
一方、例えば特開昭６０−２６１４０４号公報（特許文献２）には、対向する左右の側縁部の基材が鉄などの磁性材からなり、同側縁部の一部にそれぞれ磁石を取り付けておき、磁石の磁力を利用して左右の側縁部同士又は磁石同士を互いに吸着させて密着させるマグネットファスナーが開示されている。
【０００５】
この特許文献２では、マグネットファスナーの実施例の１つとして、剛性の高い磁性材からなる断面ト字状の側縁部又は断面Ｌ型の左右側縁部に、それぞれ磁石を取り付けたマグネットファスナーが開示されている。このマグネットファスナーは、左右の側縁部を吸着させる際に、側縁部の基端面から高さ方向に立設した断面ト字状又は断面Ｌ型の左右側縁部の一部を互いに引っ掛けるとともに、磁石の磁力で磁性材からなる左右の側縁部を吸着させることによって閉鎖している。
【０００６】
また、特許文献２には、マグネットファスナーのその他の実施例として、左右の側縁部の端縁にそれぞれ磁石を取り付けておき、これらの磁石をお互いに直接吸着させることによって、左右の側縁部を閉鎖するマグネットファスナーが開示されている。
【０００７】
このような特許文献２に実施例として記載されているマグネットファスナーは、何れも磁石の磁力を利用して左右の側縁部を閉鎖するものである。このため、前記特許文献２では、例えばスライダーを用いずに、左右の側縁部をその中間部位から開閉することが可能となり、スライダーを用いることにより生じる弊害、例えばスライダーの引っ掛かりやファスナーの磨耗による寿命の短縮を防ぐことができるとしている。
【特許文献１】米国特許第４，３９９，５９５号明細書
【特許文献２】特開昭６０−２６１４０４号公報
【発明の開示】
【発明が解決しようとする課題】
【０００８】
磁力を利用して左右の側縁部を密着又は係着させる前述のような特許文献１や特許文献２に記載のファスナーは、スライダーを用いなくても開閉操作を行うことができるという利点を有するものの、それぞれ以下のような欠点を有していた。例えば、前記特許文献１に記載されているファスナーは、それぞれ磁石を設けた左右の側縁部を上下に重ねて密着させているため、その密着させた側縁部が分厚くなって剛直となり、例えば柔軟な衣服の前立てや袋物等の開口部等の用途には適さない。
【０００９】
一方、前記特許文献２に記載されているファスナーは、例えば左右の側縁部が剛性の高い磁性材からなるものである場合、ファスナー自体が剛直となるため、例えば柔軟性が求められる衣服の前立てや袋物等の開口部に適用することができず、ファスナーの用途が制限されるという問題があった。
【００１０】
また、前記特許文献２にその他の実施例として開示されているマグネットファスナー、即ち、左右の側縁部の端縁に取り付けた磁石を直接吸着させることにより、左右の側縁部を閉鎖するマグネットファスナーの場合は、例えば柔軟性を有するテープの端縁に磁石を直接取り付けることにより、衣服の前立てや袋物の開口部等の用途に使用することが可能である。しかしながら、このような磁石を単に直接吸着させるようなマグネットファスナーは、例えば左右の側縁部が磁石の磁力によって密着しているときにファスナーの両側から横引き力を受けた場合、磁石の磁力による吸着力のみではこの横引き力に耐えることができないため、横引き力を受けた部位で左右の側縁部が開口し易くなる。従って、このような磁石の磁力のみを利用して閉鎖するファスナーを例えば衣服の前立て等に用いても、衣服の着用時に左右の側縁部が不用意に開いてしまうといった不具合があった。
【００１１】
本発明は上記従来の課題に鑑みてなされたものであって、その具体的な目的は、磁力を利用して左右の側縁部を係着することができ、また、衣服等の柔軟な製品に対して好適に用いることが可能であり、更に、左右のエレメントが係着しているときに横引き力を受けても不用意に開口することを防止することができるファスナーを提供することにある。
【課題を解決するための手段】
【００１２】
上記目的を達成するために、本発明により提供されるファスナーは、基本的な構成として、一対のファスナーテープの対向するエレメント取付縁部に沿って、磁性を有する複数の合成樹脂製の磁性エレメントを所定の間隔をおいて列設し、対向する左右の前記磁性エレメントが磁力を利用して係着するファスナーであって、対向する左右の前記磁性エレメントが互い違いに係着してなり、前記各磁性エレメントは、左右の前記磁性エレメントを係着させたときに、前記ファスナーテープの長手方向の同一側における磁極が同極となるように磁性を有する頭部と、前記エレメント取付縁部に取り付ける脚部と、一方及び他方の前記磁性エレメントの頭部に形成され、互いに係脱する係脱部と、を備えていることを最も主要な特徴とするものである。
【００１３】
本発明に係るファスナーは、前記係脱部が、一方及び／又は他方の前記磁性エレメントの頭部に形成された係脱凸部と、他方及び／又は一方の前記磁性エレメントの頭部に形成され、前記係脱凸部を嵌着可能な係脱凹部と、により構成されていることが好ましい。
【００１４】
また、本発明のファスナーにおいて、前記各磁性エレメントの前記頭部は、前記ファスナーテープの長手方向の前後に、係着相手の前記磁性エレメントの頭部と対面する第１対向面と第２対向面とを有し、前記係脱凸部が前記第１対向面に配され、前記係脱凹部が前記第２対向面に配されており、左右の前記磁性エレメントを係着させたときに、前記係脱凸部が前記係脱凹部に係合されていることが好ましい。
【００１５】
本発明のファスナーにおいて、前記各磁性エレメントの頭部は、合成樹脂を射出成形するときに磁石を埋設することにより形成されていても良い。またこの場合、前記係脱凸部は、前記第１対向面から前記磁石の一部を突出させて形成され、前記係脱凹部は、前記第２対向面と前記磁石の後端面との段差により形成されていることが好ましい。
また、本発明において、前記各磁性エレメントの頭部は、磁性材料を含む合成樹脂を射出成形した後、着磁することにより形成されていても良い。
【００１６】
更に、本発明のファスナーにおいて、前記各磁性エレメントは、前記頭部の幅方向の先端面に、凹溝部又は凸条部を有し、係着相手の前記磁性エレメントの先端面に対面する前記脚部の側面に、凸条部又は凹溝部を有してなり、前記凸条部は、左右の前記磁性エレメントを係着させたときに、前記凹溝部に嵌着されていることが好ましい。
【００１７】
更にまた、本発明では、上翼板と、下翼板と、上翼板及び下翼板の左右側端縁に沿って直交方向に配された上下フランジとを有し、前記磁性エレメントの左右のエレメント列に挿通して、前記磁性エレメントを係着離脱するスライダーを備えており、前記各磁性エレメントは、前記頭部が、前記スライダーの案内通路内に導入可能なように、前記脚部よりも高さ方向に厚肉に形成されてなり、且つ、前記脚部の表裏両面に高さ方向に突出する突出部を有し、同凸部が前記上下フランジの外面に摺接して前記スライダーを案内するものであることが好ましい。
【発明の効果】
【００１８】
本発明に係るファスナーは、一対のファスナーテープの対向するエレメント取付縁部に沿って所定の間隔をおいて列設した磁性エレメントが、頭部と、脚部と、頭部に形成された係脱部とを備えている。また、前記頭部は、ファスナーテープの長手方向の同一側における磁極が同極となるように磁性を有している。更に、本発明のファスナーは、対向する左右の磁性エレメントが、磁力を利用して互い違いに係着し、且つ、係着時に左右の磁性エレメントに形成した係脱部が互いに係合するように構成されている。
【００１９】
このような本発明のファスナーであれば、左右の磁性エレメントが係着したときに、左右の磁性エレメントが高さ方向に重ならずに、係着した部位の厚さが厚くなることもないので、ファスナーが剛直になることはない。このため、本発明のファスナーは、衣服等の柔軟な製品に好適に用いることができる。また、左右の磁性エレメントが係着すると、頭部に形成した係脱部が互いに係合するため、例えば横引き力を受けても磁性エレメントの係着状態を維持し、磁性エレメントが不用意に分離して開口することを防止することができる。
【００２０】
また、本発明のファスナーは、前記係脱部が、一方及び／又は他方の磁性エレメントの頭部に形成された係脱凸部と、他方及び／又は一方の磁性エレメントの頭部に形成され、係脱凸部を嵌着可能な係脱凹部とにより構成されている。これにより、左右の磁性エレメントが係着したときに、互いの係脱部を確実に係合することができ、横引き力を受けても磁性エレメントの係着状態を安定して維持することができる。
【００２１】
この場合、各磁性エレメントの頭部は、ファスナーテープの長手方向の前後に、係着相手の磁性エレメントの頭部と対面する第１対向面と第２対向面とを有し、また、係脱凸部が第１対向面に配され、係脱凹部が第２対向面に配されている。これにより、左右の磁性エレメントを係着させたときに、係脱凸部が係脱凹部に確実に係合され、優れた横引き強度を得ることができる。
【００２２】
本発明のファスナーにおいて、各磁性エレメントの頭部は、合成樹脂を射出成形するときに磁石を埋設することにより形成されていれば良い。これにより、各磁性エレメントの頭部が、長手方向の同一側における磁極が同極となるように磁性を容易に有することができる。
【００２３】
この場合、係脱凸部は、前記第１対向面から磁石の一部を突出させて形成され、係脱凹部は、第２対向面と前記磁石の後端面との段差により形成されている。これにより、係脱部の作製が容易であるとともに、左右の磁性エレメントが係着する際に、各磁性エレメントに埋設した磁石が、係着相手の磁性エレメントに埋設した磁石と直接対向した状態、又は当接した状態となるため、磁石の磁力をより効果的に利用して、磁性エレメントの係着をより安定させることができる。
【００２４】
また一方、各磁性エレメントの頭部は、磁性材料を含む合成樹脂を射出成形した後、着磁することにより形成されていても良い。このように頭部を形成することによっても、頭部における長手方向の同一側における磁極が同極となるような磁性をもつことができる。
【００２５】
更に、本発明において、各磁性エレメントは、頭部の幅方向の先端面に、凹溝部又は凸条部を有し、係着相手の磁性エレメントの先端面に対面する脚部の側面に、凸条部又は凹溝部を有している。これにより、前記凸条部は、左右の前記磁性エレメントを係着させたときに、前記凹溝部に嵌着されるため、磁性エレメントの係着状態が非常に安定し、例えばファスナーがエレメントの高さ方向に突き上げ力等を受けても、磁性エレメントの係着が外れることを防止することができる。
【００２６】
更にまた、本発明においては、上翼板と、下翼板と、上翼板及び下翼板の左右側端縁に沿って直交方向に配された上下フランジとを有し、左右のエレメント列に挿通して磁性エレメントを係着離脱するスライダーを備えている。その上、前記各磁性エレメントは、頭部が、スライダーの案内通路内に導入可能なように、脚部よりも高さ方向に厚肉に形成されており、且つ、脚部の表裏両面に高さ方向に突出する突出部を有し、同突出部が上下フランジの外面に摺接してスライダーを案内することが可能である。このように磁性エレメントが所定の形状を有し、スライダーを用いて磁性エレメントを係着離脱させることにより、ファスナーの開閉を非常に円滑に行うことができる。
【発明を実施するための最良の形態】
【００２７】
以下、本発明の実施形態について、実施例を挙げて図面を参照しながら詳細に説明する。なお、本発明は、以下で説明する実施例に何ら限定されるものではなく、本発明と実質的に同一な構成を有し、かつ、同様な作用効果を奏しさえすれば、多様な変更が可能である。
【実施例１】
【００２８】
図１は、本発明の実施例１に係るファスナーの磁性エレメントを示した斜視図である。また、図２は、本実施例１に係るファスナーの一部を示す正面図であり、この図２では磁性エレメントを断面で表している。なお、以下では、図１に示したファスナーテープの長手方向における一方の向き（図面の上方向）を前方とし、他方の向き（図面の下方向）を後方として説明を行う。
【００２９】
本実施例１に係るファスナー１は、一対のファスナーテープ２と、合成樹脂製の複数の磁性エレメント３とを備えている。前記ファスナーテープ２の対向する側端縁には芯紐部４が形成されており、このファスナーテープ２の芯紐部４を含むエレメント取付縁部５に沿って複数の磁性エレメント３が一定の間隔をおいて列設されている。
【００３０】
前記磁性エレメント３は、磁石６をインサートして合成樹脂を射出成形することにより形成されており、磁性を有する頭部７と、ファスナーテープ２のエレメント取付縁部５に取り付ける脚部８と、頭部７に形成された係脱凸部９及び係脱凹部１０とを備えている。本発明において、磁性エレメント３を成形する合成樹脂としては、例えばポリアミド、ポリアセタール、ポリプロピレン、ポリブチレンテレフタレートなどの熱可塑性樹脂、又はユリア樹脂、メラミン樹脂などの熱硬化性樹脂を用いることができる。
【００３１】
また、前記磁石６は、各磁性エレメント３の頭部に、ファスナーテープ２の長手方向の前方をＮ極、後方をＳ極にして埋設されており、これにより、ファスナーテープ２列設した各磁性エレメント３は、ファスナーテープ２の長手方向の同一側における磁極が同極となるように磁性を有している。なお、本発明では、各磁性エレメントの磁極を反対にしてエレメントを形成しても良く、また、本実施例１のように磁性エレメント３の頭部に磁石６を埋設する以外に、例えば磁性材料を含む合成樹脂を射出成形して磁性エレメントを形成した後に、磁性エレメントを着磁する（強い磁界の中で磁化する）ことにより、磁性エレメントの頭部又は磁性エレメント全体が上述のような磁性を有するようにしても良い。
【００３２】
前記頭部７は、矩形状に形成されており、長手方向の前後に、係着相手の磁性エレメント１の頭部７と対面する第１対向面７ａと第２対向面７ｂとを有しており、一方の磁性エレメント１の第１対向面７ａは、他方の磁性エレメント１の第２対向面７ｂと面している。更に、頭部７の第１対向面７ａには前記係脱凸部９が形成され、第２対向面７ｂには前記係脱凹部１０が形成されている。
【００３３】
前記係脱凸部９は、第１対向面７ａから円柱状に突出しており、その前端面は頭部７の幅方向先端に向けて傾斜したテーパ状に形成されている。一方、前記係脱凹部１０は、第２対向面と、内部に埋設した磁石６の後端面との段差により形成されている。また、前記脚部８は、ファスナーテープ２のエレメント取付縁部５の表裏面に跨って、頭部７よりも長手方向の前後方向に長く形成されている。
【００３４】
また、本実施例１のファスナーでは、ファスナーテープ２の後端に、図３に示したような開離嵌挿具１１が射出成形により形成されている。この開離嵌挿具１１としては、例えば特開２００４−２４８０９号公報に記載されているような開離嵌挿具を用いることができる。簡単に説明すると、この開離嵌挿具１１は、一方のファスナーテープ２の後端に保持部材１２を取り付け、他方のファスナーテープ２の後端に、保持部材１２の側面へ嵌入することができる差込部材１３を取り付けている。また、保持部材１２と差込部材１３との先端には、表裏方向において重ねることができる円板状の摺接板１４，１５をそれぞれ一体に設けている。また、摺接板１４，１５が互いに重なり合う重合面１６，１７には、一方に差込凸部１９を形成し、他方に差込凸部１９を嵌合可能な差込凹部を形成しており、且つ、重合面１６，１７には磁気を有する磁性体１８を配設している。
【００３５】
このような開離嵌挿具１１は、摺接板１４，１５を磁気作用によって吸引して保持部材１２と差込部材１３とを重ねた後、差込部材１３を所定の角度で回動させて保持部材１２に嵌入することにより、ファスナーテープ２の後端側に配した左右の磁性エレメント３から順番に係着させることが可能となる。なお、本発明において、ファスナーテープ２に形成する開離嵌挿具はこれに限定されず、その他の種々の開離嵌挿具を形成することも可能であり、また開離嵌挿具に代えて、左右のファスナーテープ２の後端部を単に連結する止具を用いることも可能である。
【００３６】
次に、上記の本実施例１に係るファスナー１の使用態様について説明する。
先ず、開離嵌挿具１１の摺接板１４，１５を重ね合わせて差込凹部に差込凸部１９を嵌合させ、次に摺接板１４，１５を回動して差込部材１３を保持部材１２に差込む。それと同時に、ファスナーテープ２の後端に配した左右の磁性エレメント３を係着させる。これにより、各磁性エレメント３の磁力によって、後端側に配した磁性エレメント３から前端側に配した磁性エレメント３まで、図２に示したように左右の磁性エレメント３を順に互い違いに係着させて、ファスナー１を閉鎖させることができる。このようにファスナー１が閉鎖すれば、左右の磁性エレメントが高さ方向に重なることがないため、ファスナーが剛直になることはない。
【００３７】
また、本実施例１のファスナー１では、各磁性エレメント３の頭部７には係脱凸部９と係脱凹部１０とが形成されているため、左右の磁性エレメント３が互い違いに係着する際に、磁性エレメント３に形成した係脱凸部９が、その前方側で係着する相手の磁性エレメント３に形成した係脱凹部１０に挿入されて嵌着する。このように係脱凸部９が係脱凹部１０に嵌着することにより、ファスナー１の横引き強度が向上するため、横引き力を受けても磁性エレメント３の係着状態を安定して維持することができ、左右の磁性エレメント３が不用意に分離して開口することを防止できる。更にこの場合、係脱凸部９の前端面がテーパ状に形成されているため、係脱凸部９の係脱凹部１０への挿入を円滑に行うことができる。
【００３８】
一方、閉鎖されたファスナー１を分離させる際には、ファスナーテープ２の前端側に配した磁性エレメント３から係着を順次に解除していき、開離嵌挿具１１の保持部材１２と差込部材１３を回動させながら離脱させることにより、ファスナー１を容易に分離させることができる。
【実施例２】
【００３９】
次に、本発明の実施例２に係るファスナーについて説明する。なお、実施例２以降の説明において、前記実施例１と同様の構成を有する部材については、同じ符号を用いて表しており、これによってその部材の説明を省略することとする。ここで、図４は、本実施例２に係るファスナーの磁性エレメントを示した斜視図である。また、図５は、本実施例２に係るファスナーの一部を示す正面図である。
【００４０】
本実施例２に係るファスナー２１は、一対のファスナーテープ２と、ファスナーテープ２のエレメント取付縁部５に沿って一定の間隔をおいて列設した複数の磁性エレメント２２，２２’とを備えている。
【００４１】
前記磁性エレメント２２，２２’は、磁石６を埋設して磁性を有する頭部２７と、脚部２８とを備えており、更に、一方のファスナーテープ２に列設した磁性エレメント２２の頭部２７の第１対向面２７ａに係脱凸部９が形成され、他方のファスナーテープ２に列設した磁性エレメント２２’の頭部２７の第２対向面２７ｂに係脱凹部１０が形成されている。一方、磁性エレメント２２の第２対向面２７ｂ及び磁性エレメント２２’の第１対向面２７ａには、係脱凸部９も係脱凹部１０も形成されていない。
【００４２】
各磁性エレメント２２，２２’の頭部２７は、前方がＮ極、後方がＳ極となるような磁性を有している。また、第１対向面２７ａに係脱凸部９が形成されている磁性エレメント２２には、第２対向面２７ｂに磁石６の後端面が表われるように磁石６が埋設されている。一方、第２対向面２７ｂに係脱凹部１０が形成されている磁性エレメント２２’には、第１対向面２７ａに磁石６の前端面が表われるように磁石６が埋設されている。
【００４３】
これにより、左右の磁性エレメント２２，２２’が係着する際に、図５に示したように、磁性エレメント２２及び磁性エレメント２２’の磁石６が表われている面同士が対向するため、より強い磁力で左右の磁性エレメント２２，２２’を吸着することができる。
【００４４】
また、本実施例２のファスナー２１は、一方のファスナーテープ２に配した磁性エレメント２２の脚部２８が、頭部２７よりも長手方向の後方側に長く形成されており、他方のファスナーテープ２に配した磁性エレメント２２’の脚部２８が、頭部２７よりも長手方向の前方側に長く形成されている。更に、本実施例２の各磁性エレメント２２，２２’は、頭部２７の幅方向の先端面２６に凹溝部２４を有しており、脚部２８の側面２９に凸条部２５を有している。なお、本発明では、頭部に凸条部を形成し、脚部に凹溝部を形成するようにしても良い。
【００４５】
なお、本実施例２のファスナー２１の変形例としては、例えば図６に示したように、左右両方の磁性エレメント２２，２２’の脚部２８が、頭部２７よりも長手方向の後方側に長く形成されているファスナー２１’や、また、図７に示したように、左右両方の磁性エレメント２２，２２’の脚部２８が、頭部２７よりも長手方向の前方側に長く形成されているファスナー２１″がある。また、実施例２及び変形例のように脚部２８が長く形成されていることは、同一のファスナーテープ２に列設された磁性エレメント２２同士又は磁性エレメント２２’同士がお互いに吸着することを防止することを目的としている。
【００４６】
上記のような本実施例２のファスナー２１を閉鎖させる場合には、ファスナーテープ２の後端に前記実施例１と同様の開離嵌挿具を設けておき、この開離嵌挿具の差込部材を保持部材に差込む。更に、ファスナーテープ２の後端側に配した磁性エレメント２２，２２’から順番に、図５に示したように左右の磁性エレメント２２，２２’を互い違いに係着させる。これにより、ファスナー２１を剛直にすることなく、円滑に閉鎖させることができる。
【００４７】
また、本実施例２のファスナー２１は、前記実施例１のように１つの磁性エレメントの頭部に係脱凸部と係脱凹部の両方が形成されていないものの、一方のファスナーテープ２に列設した磁性エレメント２２には係脱凸部９が形成され、他方のファスナーテープ２に列設した磁性エレメント２２’には係脱凹部１０が形成されている。これにより、左右の磁性エレメント２２，２２’が係着する際に、一方の磁性エレメント２２に形成した係脱凸部９が他方の磁性エレメント２２’に形成した係脱凹部１０に挿入されて嵌着するため、ファスナー２１の横引き強度を向上させることができ、磁性エレメント２２，２２’の係着状態を安定して維持することができる。
【００４８】
更に、本実施例２のファスナー２１は、頭部２７に凹溝部２４を有し、脚部２８に凸条部２５を有している。このため、左右の磁性エレメント２２，２２’を係着させた際に、各磁性エレメント２２，２２’の凸条部２５が、係着相手の磁性エレメント２２，２２’の凹溝部２４に嵌着する。これにより、磁性エレメント２２，２２’の係着状態が更に安定し、例えば係着状態のファスナー２１が高さ方向の突き上げ力等を受けても、磁性エレメント２２，２２’の係着が外れることを防止することができる。なお、実施例２の変形例として図６及び図７に示したファスナー２１’及びファスナー２１″についても、実施例２のファスナー２１と同様の効果を得ることができる。
【実施例３】
【００４９】
次に、本発明の実施例３に係るファスナーについて説明する。ここで、図８は、本実施例３に係るファスナーの磁性エレメントを示した斜視図である。また、図９は、本実施例３に係るファスナーの一部を示す正面図であり、この図９ではファスナーテープの図示が省略されている。
【００５０】
本実施例３に係るファスナー３１は、一対のファスナーテープと、ファスナーテープのエレメント取付縁部に沿って一定の間隔をおいて列設した複数の磁性エレメント３２，３２’とを備えている。
【００５１】
前記磁性エレメント３２，３２’は、磁石６を埋設して磁性を有する頭部３７と、脚部３８とを備えている。また、頭部３７の第１対向面３７ａ及び第２対向面３７ｂには磁石６の前端面又は後端面が表われるように磁石６が埋設されており、この磁石６は、前方がＮ極、後方がＳ極となるように磁性を有している。これにより、左右の磁性エレメント３２，３２’を係着する際に、磁石６が表われている面同士が対向するため、強い磁力で左右の磁性エレメント３２を吸着させることができる。
【００５２】
更に、一方のファスナーテープに列設した磁性エレメント３２の頭部３７には、表面側の後方（第２対向面３７ｂ側）に係脱凸部３３が形成され、裏面側の前方（第１対向面３７ａ側）に係脱凹部３４が形成されている。また、他方のファスナーテープに列設した磁性エレメント３２’の頭部３７には、表面側の前方に係脱凹部３４が形成され、裏面側の後方に係脱凸部３３が形成されている。つまり、一方の磁性エレメント３２の裏面は、他方の磁性エレメント３２’の表面と同一であり、表面は、他方の磁性エレメント３２’の裏面と同一である。これにより、左右の磁性エレメント３２，３２’を係着する際に、各係脱凸部３３が係着相手の係脱凹部３４に挿入されて嵌着でき、特に本実施例３のファスナー３１は、磁性エレメント３２，３２’の表裏両面で交互に係脱凸部３３が係脱凹部３４に嵌着することができる。
【００５３】
また、本実施例３のファスナー３１では、一方の磁性エレメント３２が肩部３５を備え、同肩部３５が他方の磁性エレメント３２’の切欠き部３５’に嵌着し、他方の磁性エレメント３２’が肩部３６を備え、同肩部３６が一方の磁性エレメント３２の切欠き部３６’に嵌着する。これにより、磁性エレメント３２，３２’の高さ方向の力や、ファスナー３１が捻じれる方向の力にも耐えることができる。
【００５４】
更に、本実施例３のファスナー３１は、ファスナーテープ２の後端に設けた前記実施例１と同様の図示しない開離嵌挿具と、スライダー４１とを備えており、このスライダー４１を摺動させることにより、左右の磁性エレメント３２，３２’の係着と離脱とを行うように構成されている。本実施例３において用いられるスライダー４１は、上翼板４２と、下翼板４３と、上翼板４２及び下翼板４３の左右側端縁に沿って直交方向に配された上フランジ４４及び下フランジ４５と、上翼板４２の左右中央部と下翼板４３の左右中央部との間に立設された図示しない案内柱とを有しており、スライダー４１の内部にＹ字状のエレメント案内通路が形成されている。
【００５５】
また、磁性エレメント３２，３２’は、頭部３７が、スライダー４１のエレメント案内通路内に導入可能なように、脚部３８よりも高さ方向に厚肉に形成されている。また、脚部３８の表裏両面には、高さ方向に突出する突出部３９が形成されている。これにより、スライダー４１を左右のエレメント列に挿通して摺動させる際に、図９に示したように、脚部３８に形成した突出部３９がスライダー４１の上下フランジ４４，４５の外面に摺接して、スライダー４１を円滑に案内することができる。このため、左右の磁性エレメント３２，３２’の係着と離脱を確実に行うことができ、ファスナー３１の開閉を非常に円滑に行うことができる。
【００５６】
一方、本発明のような磁力を利用して係着するファスナーは、エレメント列の一端に配した左右の磁性エレメントを一旦係着させると、前記実施例１等のように、磁性エレメントの磁力により、その一端に配した磁性エレメントから他端に配した磁性エレメントまで順番に連続して係着する。しかし、本実施例３のファスナー３１においては、例えば前記スライダー４１が更に停止機構を備えることにより、スライダー４１をエレメント列の途中で停止させることができ、これによって、左右の磁性エレメント３２，３２’を半開きの状態で維持することが可能となる。
【００５７】
以上のような本実施例３のファスナー３１は、前記実施例１等と同様に、左右の磁性エレメント３２，３２’が係着したときに、係着した部位の厚さが厚くなることがないので、ファスナー３１が剛直になることはない。また、左右の磁性エレメント３２，３２’が係着すると、磁性エレメント３２，３２’の表面と裏面とで交互に係脱凸部３３が係脱凹部３４に嵌着するため、ファスナー３１の横引き強度を向上させることができ、磁性エレメント３２，３２’の係着状態をより安定して維持することができる。
【実施例４】
【００５８】
次に、本発明の実施例４に係るファスナーについて説明する。ここで、図１０は、本実施例４に係るファスナーの磁性エレメントを示した斜視図である。また、図１１は、本実施例４に係るファスナーの一部を示す正面図である。
【００５９】
本実施例４に係るファスナー５１は、一対のファスナーテープ２と、ファスナーテープ２のエレメント取付縁部５に沿って一定の間隔をおいて列設した複数の磁性エレメント５２とを備えている。また、前記磁性エレメント５２は、磁石６を埋設して磁性を有する頭部５７と、脚部５８と、頭部５７に形成した係脱部５６ａ，５６ｂとを有している。
【００６０】
各磁性エレメント５２の頭部５７は、磁石６により、前方がＮ極、後方がＳ極となるような磁性を有している。また、頭部５７の第１対向面５７ａ及び第２対向面５７ｂには磁石６の前端面又は後端面が表われるように磁石６が埋設されている。これにより、左右の磁性エレメント５２を係着する際に、磁石６が表われている面同士が対向するため、強い磁力で左右の磁性エレメント５２を吸着させることができる。
【００６１】
また、各磁性エレメント５２は、第１係脱部５６ａと第２係脱部５６ｂとを有しており、第１係脱部５６ａは、頭部５７の表面側でファスナーテープ２の長手方向に対して所定の角度で傾斜し、且つ、頭部５７の第１対向面５７ａ及び第２対向面５７ｂから端部が突出するように形成されている。また、第２係脱部５６ｂは、頭部５７の裏面側で第１係脱部５６ａとは反対向きに所定の角度で傾斜し、且つ、頭部５７の第１対向面５７ａ及び第２対向面５７ｂから端部が突出するように形成されている。即ち、これらの第１係脱部５６ａと第２係脱部５６ｂとは、磁性エレメント５２の表面又は裏面側から見た際に、Ｘ字状に交差するように頭部５７の表面及び裏面にそれぞれ形成されている。
【００６２】
このような本実施例４のファスナー５１を閉鎖させる場合には、ファスナーテープ２の後端に前記実施例１と同様の図示しない開離嵌挿具を設けておき、この開離嵌挿具の差込部材を保持部材に差込む。更に、ファスナーテープ２の後端側に配した磁性エレメント５２から順番に、図１１に示したように左右の磁性エレメント５２を互い違いに係着させる。これにより、ファスナー５１を剛直にすることなく、円滑に閉鎖させることができる。
【００６３】
またこのとき、磁性エレメント５２の表面側では、左右の磁性エレメント５２に形成した第１係脱部５６ａ同士が互い違いに嵌着するとともに、磁性エレメント５２の裏面側では、第２係脱部５６ｂ同士が互い違いに嵌着する。このように第１係脱部５６ａ同士、及び第２係脱部５６ｂ同士が嵌着することにより、ファスナー５１の横引き強度を向上させることができ、磁性エレメント５２の係着状態を安定して維持することができる。
【実施例５】
【００６４】
最後に、本発明の実施例５に係るファスナーについて説明する。ここで、図１２は、本実施例５に係るファスナーの一部を示す正面図であり、この図１２では磁性エレメントを断面で表している。
【００６５】
本実施例５に係るファスナー６１は、一対のファスナーテープ２と、ファスナーテープ２のエレメント取付縁部５に沿って一定の間隔をおいて列設した複数の磁性エレメント６２とを備えている。
【００６６】
前記磁性エレメント６２は、磁石６を埋設して磁性を有する頭部６７と、脚部６８と、頭部６７に形成された係脱凸部６３及び係脱凹部６４とを備えている。前記磁石６は、各磁性エレメント６２の頭部に、ファスナーテープ２の長手方向の前方をＮ極、後方をＳ極にして埋設されており、これにより、各磁性エレメント６２は、ファスナーテープ２の長手方向の同一側における磁極が同極となるように磁性を有している。
【００６７】
また本実施例５において、前記頭部６７は矩形状に形成されており、この頭部６７の第１対向面６７ａでは、磁石６の一部が円柱状に突出して前記係脱凸部６３が形成されている。一方、第２対向面６７ｂでは、第２対向面６７ｂと内部に埋設した磁石６の後端面との段差により、前記係脱凹部６４が形成されている。
【００６８】
このような本実施例５のファスナー６１を閉鎖させる場合には、ファスナーテープ２の後端に前記実施例１と同様の図示しない開離嵌挿具を設けておき、この開離嵌挿具の差込部材を保持部材に差込む。更に、ファスナーテープ２の後端側に配した磁性エレメント６２から順番に、図１２に示したように左右の磁性エレメント６２を互い違いに係着させる。これにより、ファスナー６１を剛直にすることなく、円滑に閉鎖させることができる。
【００６９】
また、本実施例５のファスナー６１は、各磁性エレメント６２の頭部６７には係脱凸部６３と係脱凹部６４とが形成されているため、左右の磁性エレメント６２が係着する際に、磁性エレメント６２に形成した係脱凸部６３が、前方側で係着する相手の磁性エレメント６２の係脱凹部６４に挿入されて嵌着する。これにより、ファスナー６１の横引き強度を向上させることができ、磁性エレメント６２の係着状態を安定して維持することができる。
【００７０】
特に、本実施例５のファスナー６１は、係脱凸部６３の前端面及び係脱凹部６４の後端面が磁石で形成されているため、左右の磁性エレメント６２が係着する際に、各磁性エレメント６２に埋設した磁石６が、係着相手の磁性エレメント６２に埋設した磁石６と直接対向した状態、又は当接した状態となる。このため、磁石６の磁力をより効果的に利用することができ、磁性エレメント６２の係着をより安定させるこができる。
【００７１】
なお、磁石６が磁性エレメント６２から抜け落ちないようにするために、磁石６の長手方向中央に凹みを設けて磁性エレメント６２の頭部６７に埋設すると良い。これにより、ファスナー６１の使用時に、磁石６が磁性エレメント６２から脱落し難くすることができる。
【産業上の利用可能性】
【００７２】
本発明は、柔軟性を有する衣服の前立てなどの開口部や、バッグ、袋物などの開口部等に取り付けられて、磁石の磁力を利用することにより開口部を開口し、又は閉鎖させるファスナーに有効に適用することができる。
【図面の簡単な説明】
【００７３】
【図１】実施例１に係るファスナーの磁性エレメントを模式的に示す斜視図である。
【図２】同ファスナーの一部を示す正面図である。
【図３】ファスナーテープの後端に取り付けた開離嵌挿具の構成を模式的に示す斜視図である。
【図４】実施例２に係るファスナーの磁性エレメントを模式的に示す斜視図である。
【図５】同ファスナーの一部を示す正面図である。
【図６】実施例２のファスナーの変形例の一部を示す正面図である。
【図７】実施例２のファスナーの別の変形例の一部を示す正面図である。
【図８】実施例３に係るファスナーの磁性エレメントを模式的に示す斜視図である。
【図９】同ファスナーの一部を示す正面図である。
【図１０】実施例４に係るファスナーの磁性エレメントを模式的に示す斜視図である。
【図１１】同ファスナーの一部を示す正面図である。
【図１２】実施例５に係るファスナーの一部を模式的に示す正面図である。
【符号の説明】
【００７４】
１                ファスナー
２                ファスナーテープ
３                磁性エレメント
４                芯紐部
５                エレメント取付縁部
６                磁石
７                頭部
７ａ              第１対向面
７ｂ              第２対向面
８                脚部
９                係脱凸部
１０                係脱凹部
１１                開離嵌挿具
１２                保持部材
１３                差込部材
１４，１５          摺接板
１６，１７          重合面
１８                磁性体
１９                差込凸部
２１                ファスナー
２２，２２’        磁性エレメント
２４                凹溝部
２５                凸条部
２６                先端面
２７                頭部
２７ａ              第１対向面
２７ｂ              第２対向面
２８                脚部
２９                側面
３１                ファスナー
３２，３２’        磁性エレメント
３３                係脱凸部
３４                係脱凹部
３５                肩部
３５’              切欠き部
３６                肩部
３６’              切欠き部
３７                頭部
３７ａ              第１対向面
３７ｂ              第２対向面
３８                脚部
３９                突出部
４１                スライダー
４２                上翼板
４３                下翼板
４４                上フランジ
４５                下フランジ
５１                ファスナー
５２                磁性エレメント
５６ａ              第１係脱部
５６ｂ              第２係脱部
５７                頭部
５７ａ              第１対向面
５７ｂ              第２対向面
５８                脚部
６１                ファスナー
６２                磁性エレメント
６３                係脱凸部
６４                係脱凹部
６７                頭部
６７ａ              第１対向面
６７ｂ              第２対向面
６８                脚部
【図１】
0004610521.tif 000002
【図２】
0004610521.tif 000003
【図３】
0004610521.tif 000004
【図４】
0004610521.tif 000005
【図５】
0004610521.tif 000006
【図６】
0004610521.tif 000007
【図７】
0004610521.tif 000008
【図８】
0004610521.tif 000009
【図９】
0004610521.tif 000010
【図１０】
0004610521.tif 000011
【図１１】
0004610521.tif 000012
【図１２】
0004610521.tif 000013